(57)【要約】【課題】導光体の一端側にのみ光源を配置した場合においても、照度の均一化を図れるライン状照明装置を提供する。【解決手段】発光素子を有する光源１０と、光源１０からの光を導光して被照明体をライン状に照明する導光体１１とを備えたライン状照明装置において、導光体１１は、長手方向の一方の側端面に設けられた入光面１０１と、長手方向に沿った一面に設けられた出射面１０２と、出射面１０２と対向する面に設けられた反射面１０３と、反射面１０３に設けられた、少なくとも２列からなる、光を拡散させるパターン形状１０５を有する光拡散パターン１０４ｍとを備え、光拡散パターン１０４ｍは、光源１０に設けられた発光素子の光軸Ａと反射面１０３に対する法線Ｂとが交わりを成す平面Ｃが、反射面１０３にて交差する交線Ｄに対して、ずれるように設けられると共に、光源１０からの距離に応じて、パターン形状１０５の分布密度が変化する構成とする。【選択図】図４
2011087290.tif 000002
【特許請求の範囲】
【請求項１】
発光素子を有する光源と、
前記光源からの光を導光し、且つ、被照明体をライン状に照明する棒状の導光体と、
を備えたライン状照明装置において、
前記導光体は、
長手方向の一方の側端面に設けられた前記光源からの光を入光する入光面と、
長手方向に沿った一面に設けられた前記光源からの光を被照明体の方向へ出射する出射面と、
前記出射面と対向する面に設けられた前記光源からの光を反射する反射面と、
前記反射面に設けられた、少なくとも２列からなる、光を拡散させるパターン形状を有する光拡散パターンと、
を備え、
前記光拡散パターンは、
前記発光素子の光軸と前記反射面に対する法線とが交わりを成す平面が、前記反射面にて交差する交線に対して、ずれるように設けられると共に、
光源からの距離に応じて、前記パターン形状の分布密度が変化する
ことを特徴とするライン状照明装置。
【請求項２】
複数の発光素子を有する光源と、
前記光源からの光を導光し、且つ、被照明体をライン状に照明する棒状の導光体と、
を備えたライン状照明装置において、
前記導光体は、
長手方向の一方の側端面に設けられた前記光源からの光を入光する入光面と、
長手方向に沿った一面に設けられた前記光源からの光を被照明体の方向へ出射する出射面と、
前記出射面と対向する面に設けられた前記光源からの光を反射する反射面と、
前記反射面に設けられた、少なくとも前記発光素子の数に１を加算した数の列からなる光を拡散させるパターン形状を有する光拡散パターンと、
を備え、
前記光拡散パターンは、
前記発光素子の光軸と前記反射面に対する法線とが交わりを成す平面が、前記反射面にて交差する交線に対して、ずれるように設けられると共に、
光源からの距離に応じて、前記パターン形状の分布密度が変化する
ことを特徴とするライン状照明装置。
【請求項３】
前記導光体は、
前記入光面に対向して設けられた前記光源からの光を拡散する粗面
を備え、
前記光拡散パターンは、
少なくとも、前記粗面の近傍には前記パターン形状を設けない領域を有する
ことを特徴とする請求項１、又は、２に記載のライン状照明装置。
【請求項４】
発光素子を有する光源と、
前記光源からの光を導光し、且つ、被照明体をライン状に照明する棒状の導光体と、
を備えたライン状照明装置を用いた画像読取装置において、
前記導光体は、
長手方向の一方の側端面に設けられた前記光源からの光を入光する入光面と、
長手方向に沿った一面に設けられた前記光源からの光を被照明体の方向へ出射する出射面と、
前記出射面と対向する面に設けられた前記光源からの光を反射する反射面と、
前記反射面に設けられた、少なくとも２列からなる、光を拡散させるパターン形状を有する光拡散パターンと、
を備え、
前記光拡散パターンは、
前記発光素子の光軸と前記反射面に対する法線とが交わりを成す平面が、前記反射面にて交差する交線に対して、ずれるように設けられると共に、
光源からの距離に応じて、前記パターン形状の分布密度が変化する
ことを特徴とする画像読取装置。
【請求項５】
複数の発光素子を有する光源と、
前記光源からの光を導光し、且つ、被照明体をライン状に照明する棒状の導光体と、
を備えたライン状照明装置を用いた画像読取装置において、
前記導光体は、
長手方向の一方の側端面に設けられた前記光源からの光を入光する入光面と、
長手方向に沿った一面に設けられた前記光源からの光を被照明体の方向へ出射する出射面と、
前記出射面と対向する面に設けられた前記光源からの光を反射する反射面と、
前記反射面に設けられた少なくとも前記発光素子の数に１を加算した数の列からなる光を拡散させるパターン形状を有する光拡散パターンと、
を備え、
前記光拡散パターンは、
前記発光素子の光軸と前記反射面に対する法線とが交わりを成す平面が前記反射面にて交差する交線に対して、ずれるように設けられると共に、
光源からの距離に応じて、前記パターン形状の分布密度が変化する
ことを特徴とする画像読取装置。
【請求項６】
前記導光体は、
前記入光面に対向して設けられた前記光源からの光を拡散する粗面
を備え、
前記光拡散パターンは、
少なくとも、前記粗面の近傍には前記パターン形状を設けない領域を有する
ことを特徴とする請求項４、又は、５に記載の画像読取装置。
【発明の詳細な説明】
【技術分野】
【０００１】
本発明は、複写機、イメージスキャナー、あるいはファクシミリ等の画像読取装置で使用されるライン状照明装置に係り、特に原稿の読取面に光を照射してその反射光を読み取るイメージセンサユニットに用いられるライン状照明装置及びそれを用いた画像読取装置に関するものである。
【背景技術】
【０００２】
一般に、画像読取装置としては、密着型イメージセンサユニット（ＣＩＳ；Ｃｏｎｔａｃｔ Ｉｍａｇｅ Ｓｅｎｓｏｒ）を用いたフラットベッド方式の画像読取装置が知られている。また、この密着型イメージセンサユニットには、照明装置としてＬＥＤを用いたライン状照明装置が用いられている。
【０００３】
これは、長手方向に延びた棒状の導光体の一方の端面を入光面とし、その近傍にＬＥＤ等からなる光源が配置されることで、光が導光体を通して導光体の長手方向に沿って設けられた出射面から原稿方向へ出射される構造である。原稿で反射された光は、レンズアレイによって、受光素子に結像し電気信号へと変換される。この時、導光体は出射面より出射される光の照度が略均一になるように設計されるものである。
【０００４】
また、導光体には拡散光を発生させて出射光の照度を均一にするために光拡散パターンが設けられており、一般的に光拡散パターンを構成するパターン形状は、光源に近い部分を疎に、光源からの距離が遠くなるに従って密となるよう形成されている。  
更に、特許文献１記載の公報において、光源２０の近傍については、導光体２１に設けられた反射部２２の幅の中心を通る法線２３が、反射部２２を含む辺の中心からずれる読取装置用導光体の提案がなされている。（図１４参照）
【０００５】
ところで、一般に、導光体はアクリル等の透明樹脂を射出成形することによって成形されるものである。その際、ＬＥＤからの光が入光する面となる端面は鏡面（平面）に成形出来るが、この入光面に対向する面となる他端はゲート部となるため、ニッパ等の治具にて切断加工する必要が生じることになり粗面となるものである。  
このため、特許文献２記載の公報において、長手方向の一端である光源に対向する鏡面を入光面３０とし、他端３１が粗面となった棒状透明導光体３２を用いたライン照明装置の提案がなされている。（図１５参照）
【０００６】
この公報に開示されるライン照明装置は、棒状透明導光体３２の一端のみに光源が配置されるものである。また、長手方向に沿って均一な照度を得るため、入光面３０から他端３１に向かって、棒状透明導光体３２の表面に形成される光散乱パターン３３の面積が徐々に増加する構成である。
【先行技術文献】
【特許文献】
【０００７】
【特許文献１】特開２００１−２２３８５２号公報
【特許文献２】特開平１０−１２６５８１号公報
【発明の概要】
【発明が解決しようとする課題】
【０００８】
しかしながら、特許文献１記載の構成は、光源２０の近傍については、反射部としての反射部２２と光源２０との間に距離が生じることになり、反射部２２にて拡散、及び／又は、反射する光が暗くなる問題があった。
【０００９】
また、特許文献２記載の構成は、入光面３０に対向する端面３１を粗面のままとすることにより、この粗面が光拡散面となるものである。このため、粗面から拡散された拡散光が光散乱パターン３３により拡散され、棒状透明導光体３２から出射されることになり、長手方向（主走査方向）において他端３１付近の照度が不均一となる問題があった。
【００１０】
本発明はかかる実情に鑑みなされたものであり、導光体の一端側にのみ光源を配置した場合においても、幅方向（副走査方向）、及び、長手方向（主走査方向）における照度の均一化を図れるライン状照明装置、及び、それを用いた画像読取装置を提供することを目的とする。
【課題を解決するための手段】
【００１１】
請求項１記載のライン状照明装置は、発光素子を有する光源と、前記光源からの光を導光し、且つ、被照明体をライン状に照明する棒状の導光体と、を備えたライン状照明装置において、前記導光体は、長手方向の一方の側端面に設けられた前記光源からの光を入光する入光面と、長手方向に沿った一面に設けられた前記光源からの光を被照明体の方向へ出射する出射面と、前記出射面と対向する面に設けられた前記光源からの光を反射する反射面と、前記反射面に設けられた、少なくとも２列からなる、光を拡散させるパターン形状を有する光拡散パターンと、を備え、前記光拡散パターンは、前記発光素子の光軸と前記反射面に対する法線とが交わりを成す平面が、前記反射面にて交差する交線に対して、ずれるように設けられると共に、光源からの距離に応じて、前記パターン形状の分布密度が変化することを特徴とする。
【００１２】
請求項２記載のライン状照明装置は、複数の発光素子を有する光源と、前記光源からの光を導光し、且つ、被照明体をライン状に照明する棒状の導光体と、を備えたライン状照明装置において、前記導光体は、長手方向の一方の側端面に設けられた前記光源からの光を入光する入光面と、長手方向に沿った一面に設けられた前記光源からの光を被照明体の方向へ出射する出射面と、前記出射面と対向する面に設けられた前記光源からの光を反射する反射面と、前記反射面に設けられた、少なくとも前記発光素子の数に１を加算した数の列からなる光を拡散させるパターン形状を有する光拡散パターンと、を備え、前記光拡散パターンは、前記発光素子の光軸と前記反射面に対する法線とが交わりを成す平面が、前記反射面にて交差する交線に対して、ずれるように設けられると共に、光源からの距離に応じて、前記パターン形状の分布密度が変化することを特徴とする。
【００１３】
請求項３記載のライン状照明装置は、請求項１、又は、２に記載のライン状照明装置において、前記導光体は、前記入光面に対向して設けられた前記光源からの光を拡散する粗面を備え、前記光拡散パターンは、少なくとも、前記粗面の近傍には前記パターン形状を設けない領域を有することを特徴とする。
【００１４】
請求項４記載の画像読取装置は、発光素子を有する光源と、前記光源からの光を導光し、且つ、被照明体をライン状に照明する棒状の導光体と、を備えたライン状照明装置を用いた画像読取装置において、前記導光体は、長手方向の一方の側端面に設けられた前記光源からの光を入光する入光面と、長手方向に沿った一面に設けられた前記光源からの光を被照明体の方向へ出射する出射面と、前記出射面と対向する面に設けられた前記光源からの光を反射する反射面と、前記反射面に設けられた、少なくとも２列からなる、光を拡散させるパターン形状を有する光拡散パターンと、を備え、前記光拡散パターンは、前記発光素子の光軸と前記反射面に対する法線とが交わりを成す平面が、前記反射面にて交差する交線に対して、ずれるように設けられると共に、光源からの距離に応じて、前記パターン形状の分布密度が変化することを特徴とする。
【００１５】
請求項５記載の画像読取装置は、複数の発光素子を有する光源と、前記光源からの光を導光し、且つ、被照明体をライン状に照明する棒状の導光体と、を備えたライン状照明装置を用いた画像読取装置において、前記導光体は、長手方向の一方の側端面に設けられた前記光源からの光を入光する入光面と、長手方向に沿った一面に設けられた前記光源からの光を被照明体の方向へ出射する出射面と、前記出射面と対向する面に設けられた前記光源からの光を反射する反射面と、前記反射面に設けられた少なくとも前記発光素子の数に１を加算した数の列からなる光を拡散させるパターン形状を有する光拡散パターンと、を備え、前記光拡散パターンは、前記発光素子の光軸と前記反射面に対する法線とが交わりを成す平面が、前記反射面にて交差する交線に対して、ずれるように設けられると共に、光源からの距離に応じて、前記パターン形状の分布密度が変化することを特徴とする。
【００１６】
請求項６記載の画像読取装置は、請求項４、又は、５に記載の画像読取装置において、前記導光体は、前記入光面に対向して設けられた前記光源からの光を拡散する粗面を備え、前記光拡散パターンは、少なくとも、前記粗面の近傍には前記パターン形状を設けない領域を有することを特徴とする。
【発明の効果】
【００１７】
以上のように、導光体の反射面に、発光素子の光軸と反射面に対する法線とが交わりを成す平面が、反射面にて交差する交線に対して、光拡散パターンがずれるように、少なくとも２列の光拡散パターンを形成することにより、光拡散パターンからの拡散光のピークを低減できるようになる。このため、幅方向（副走査方向）において出射面からの出射光の照度を均一化できる。
【００１８】
また、導光体の反射面に、複数の発光素子の光軸と反射面に対する法線とが交わりを成す平面が、反射面にて交差する夫々の交線に対して、光拡散パターンずれるように、少なくとも４列の光拡散パターンを形成することにより、各発光素子における光拡散パターンからの拡散光のピークを低減できるようになる。このため、光源の位置による照度のずれを緩和することができ、幅方向（副走査方向）において出射面からの出射光の照度を均一化できる。
【００１９】
また、少なくとも光拡散面の近傍については、パターン形状を設けない領域を有する構成とすることにより、入光面に対向する端面を粗面のままとしても、光拡散面（粗面）の近傍における光拡散パターンからの拡散光を低減できるようになる。このため、出射面からの出射光のピークを低減できるようになり、長手方向（主走査方向）において照度の均一化を高めることが可能となる。
【図面の簡単な説明】
【００２０】
【図１】図１は、本発明を適用できる複写機の構造を示す斜視図である。
【図２】図２は、複写機の読取部の構造を示す概略図である。
【図３】図３は、導光体１１の構造を示す側面図である。
【図４】図４は、本発明を適用できる反射面１０２に設けられた光拡散パターン１０４ｍの一例である。
【図５ａ】図５ａは、従来の光拡散パターン１０４ｍの形状を示す導光体１１の幅方向（副走査方向）における断面図である。
【図５ｂ】図５ｂは、従来の光拡散パターン１０４ｍによって拡散された拡散光との関係を示す図である。
【図６ａ】図６ａは、本発明を適用できる光拡散パターン１０４ｍの形状を示す導光体１１の幅方向（副走査方向）における断面図である。
【図６ｂ】図６ｂは、本発明を適用できる光拡散パターン１０４ｍによって拡散された拡散光との関係を示す図である。
【図７】図７は、本発明を適用できる導光体１１における光軸Ａ、法線Ｂ、平面Ｃ、交線Ｄの関係の一例を示す斜視図である。
【図８】図８は、本発明を適用できる反射面１０２に設けられた光拡散パターン１０４ｍの他の一例である。
【図９ａ】図９ａは、従来の光拡散パターン１０４ｍの形状を示す導光体１１の幅方向（副走査方向）における断面図である。
【図９ｂ】図９ｂは、従来の光拡散パターン１０４ｍによって拡散された拡散光との関係を示す他の図である。
【図１０ａ】図１０ａは、本発明を適用できる他の光拡散パターン１０４ｍの形状を示す導光体１１の幅方向（副走査方向）における断面図である。
【図１０ｂ】図１０ｂは、本発明を適用できる他の光拡散パターン１０４ｍによって拡散された拡散光との関係を示す他の図である。
【図１１】図１１は、本発明を適用できる導光体１１における光軸Ａ、法線Ｂ、平面Ｃ、交線Ｄの関係の他の一例を示す斜視図である。
【図１２】図１２は、本発明を適用できる反射面１０２に設けられた光拡散パターン１０４ｍの他の一例である。
【図１３】図１３は、本発明を適用できる領域Ｅの有無による出射光の比較例を示すグラフである。
【図１４】図１４は、特許文献１に記載された導光体を示す図である。
【図１５】図１５は、特許文献２に記載された導光体を示す図である。
【発明を実施するための形態】
【００２１】
以下、本発明の実施の形態について図面に基づき詳細に説明する。  
図１は本発明を適用できるフラットベッド方式のスキャナ（画像読取装置）の構造を示す斜視図である。  
１は筐体であり、この筐体１には原稿載置部としてのガラス製の透明板からなるプラテンガラス２と、このプラテンガラス２上に載置された原稿を覆うように開閉自在設けられたプラテンカバー３とが設けられている。  
また、筐体１の内部には、イメージセンサユニット４が格納されており、イメージセンサユニット４は、例えば、密着型イメージセンサ（ＣＩＳ；Ｃｏｎｔａｃｔ Ｉｍａｇｅ Ｓｅｎｓｏｒ）ユニットである。５はイメージセンサユニット４を囲むように保持する保持部材であり、６は保持部材５をプラテンガラス２に沿って移動可能に設けられたスライドシャフト、７は駆動モータ、８はワイヤ、９は信号処理部である。
【００２２】
この構成により、駆動モータ７を駆動して保持部材５に取り付けられたワイヤ８を機械的に動かすことにより、イメージセンサユニット４をスライドシャフト６に沿って読取方向（副走査方向）に移動するものである。
【００２３】
図２は、イメージセンサユニット４の構造を示す概略図である。  
１０は原稿照明用の光源であり、この光源１０にはＬＥＤからなる発光素子が設けられており、この発光素子より光を照射する構成である。  
１１は光源１０から照射された光を原稿へと導く棒状の導光体であり、この導光体１１の長手方向の一方の端面の近傍に光源１０が配置されている。  
１２は結像素子としてのロッドレンズアレイであり、このロッドレンズアレイ１２は、正立等倍結像型レンズ素子が複数配列されたものである。  
１３はロッドレンズアレイ１２にて結像された反射光（原稿画像）を電気信号に変換する光電変換素子であり、１４は光電変換素子１３ｋ（ｋは１から１１の自然数）が実装されたセンサ基板である。  
尚、本実施形態では、光電変換素子１３ｋの数は１１個であるが、光電変換素子１３ｋの数は特に限定されない。
【００２４】
以上の構成により、イメージセンサユニット４はプラテンガラス２の直下の読み取り位置において、光源１０に設けられた発光素子より光を照射する。照射された光は導光体１１を通して出射され、図示しない原稿の表面を主走査方向においてライン状に略均一に照射される。照射された光は原稿によって反射され、この反射光はロッドレンズアレイ１２により、センサ基板１４上に設けられた光電変換素子１３ｋ上に集束結像する。反射光は光電変換素子１３ｋにより電気信号に変換され、この電気信号はセンサ基板１４を介して信号処理部９により処理される。
【００２５】
このように反射光を１走査ライン読み取ることで、原稿からの反射光の主走査方向における１走査ラインの読み取り動作を行うものである。
【００２６】
１走査ラインの読み取り動作後、イメージセンサユニット４はさらに１走査ライン分副走査方向へ移動しつつ、原稿に光を照射しながら同様に１走査ラインの読み取り動作を行う。この読み取り動作を繰り返すことで原稿の全面を走査するものである。
【００２７】
図３は、導光体１１の構造を示す側面図である。  
導光体１１は射出成形によって、アクリル等の透明樹脂から成形されるものである。  
射出成形とは、ノズルから溶融した樹脂を流入口（ゲート）を通して成形品となる空洞部分へ射出することにより、成形品を成形するものである。
【００２８】
ところで、上述する射出成形によって導光体を成形する際、光源１０からの光が入光する面となる端面は平面に成形出来るが、この入光面に対向する面となる他端はゲート部となることから、ニッパ等の治具にて切断加工する必要が生じるため、粗面に成形されることになる。  
このため、導光体１１は一面の粗面とその他の平面とから形成されるものであり、この粗面をそのまま光拡散面とするものである。
【００２９】
即ち、１００は長手方向（主走査方向）の一方の側端面に設けられた光拡散面（粗面）であり、１０１は光拡散面１００に対向して設けられた入光面である。  
入光面１０１の近傍に光源１０が配置されることにより、光源１０からの光が入光するものである。
【００３０】
１０２は導光体１１の長手方向に沿って設けられた出射面であり、導光体１１内で反射・拡散された光源１０からの光を被照明体としての原稿の方向へ出射するものである。出射面１０２は集光効果のため凸状に形成されている。  
１０３は出射面１０２と対向する面に設けられた反射面であり、この反射面１０３には光拡散パターン１０４ｍ（ｍは自然数）が設けられている。
【００３１】
光拡散パターン１０４ｍは、例えば、シルク印刷等による光反射性の塗料からなるパターン形状１０５を反射面１０３に形成することにより構成されるものである。  
また、他の面は夫々図示しない反射面である。
【００３２】
この構成により、光源１０からの光は、導光体１１に設けられた入光面１０１より導光体１１内に入光すると共に、導光体１１内にて反射面１０３、及び、図示しない内面により全反射しながら導光体内を伝搬しつつ、出射面１０２より出射する。同時に、導光体１１内にて光拡散面１００、及び、反射面１０３に設けられた光拡散パターン１０４ｍにより拡散しつつ、出射面１０２より出射することで、図示しない原稿に対し主走査方向においてライン状に略均一に照射されるものである。
（実施例１）
【００３３】
図４に本発明を適用できる導光体１１の反射面１０３に設けられた光拡散パターン１０４ｍの一例を示す。  
光拡散パターン１０４ｍは反射面１０３に少なくとも２列設けられている。  
光拡散パターン１０４ｍは、例えば、ドット（点）からなるパターン形状１０５にて構成されており、パターン形状１０５の分布密度は、入光面１０１から光拡散面１００に向かって徐々に増大する構成である。  
即ち、光源１０からの距離に応じて、光源１０に近い部分は低密度に、遠方では高密度に配置された構成である。  
尚、パターン形状１０５は円形または多角形等どのような形状であっても構わない。また、同一形状に限定するものではなく密度に応じて径、形状等を変化させても良い。
【００３４】
この構成により、光源１０からの光が入光する一端から他端に向かって徐々に光拡散パターン１０４ｍを構成するパターン形状１０５の占める割合が大きくなることになる。このため、光源１０に近い部分の拡散率を低く、遠方に向かって徐々に拡散率を高くすることができ、光源１０が一つであっても長手方向（主走査方向）に沿って略均一な照度を得ることができるものである。
【００３５】
また、図５ａ、及び、図６ａに導光体１１の幅方向（副走査方向）における断面形状、図５ｂ、及び、図６ｂに幅方向（副走査方向）における光拡散パターン１０４ｍにて拡散される拡散光の照度の分布（以下、照度分布と記述）を示す。  
２００は従来の出射光の照度分布を示す線であり、２０１は本発明を適用できる出射光の照度分布を示す線である。  
図５ａに示す従来の光拡散パターン１０４ｍは、反射面１０３表面全域に設けられた構成である。
【００３６】
また、図７は、本発明を適用できる導光体１１における光軸Ａ、法線Ｂ、平面Ｃ、交線Ｄの関係の一例を示す斜視図である。  
即ち、Ａは光源１０に設けられた発光素子の光軸であり、Ｂは反射面１０３に対する法線、Ｃは光軸Ａと法線Ｂとが交わりを成す平面、Ｄは平面Ｃが反射面１０３上で交差する交線である。  
尚、平面Ｃは、図中において、導光体１１における断面として破線で示すものとする。
【００３７】
この構成では、光拡散パターン１０４ｍにより拡散された拡散光は、幅方向（副走査方向）における照度分布において、交線Ｄに沿ってピークを生じる。  
出射面１０２より出射される出射光は、反射面１０３（及び、図示しない反射面）からの反射光と光拡散パターン１０４ｍにより拡散された拡散光から構成されるため、出射面１０２より出射される出射光の照度が不均一となるものである。
【００３８】
これに対し、図６ａに示す本発明を適用できる一例を示す光拡散パターン１０４ｍは、交線Ｄに対して光拡散パターン１０４ｍがずれるように設けられた構成である。  
即ち、光拡散パターン１０４ｍは、交線Ｄに沿って間隙１０６ｎ（ｎはｍが２以上の自然数の場合、ｍ−１となる自然数）を挟んで、少なくとも２列設けられることになる。
【００３９】
この構成により、交線Ｄに沿って生ずる拡散光のピーク付近において、間隙１０６ｎにより光拡散パターン１０４ｍからの拡散光を低減できることから、幅方向（副走査方向）における照度分布において、光拡散パターン１０４ｍからの拡散光のピークが減少する。このため、出射面１０２より出射される出射光の照度の均一化が図れるものである。
【００４０】
尚、間隙１０６ｎを示す枠線は視認性を高めるために追加したものであり、光拡散パターン１０４ｍ、及び、パターン形状１０５を示すものではない。
（実施例２）
【００４１】
図８に本発明を適用できる導光体１１の反射面１０３に設けられた光拡散パターン１０４ｍの他の一例を示す。  
１０は原稿照明用の光源であり、この光源１０に赤（ｒ）・緑（ｇ）・青（ｂ）３色の発光波長を持つＬＥＤからなる発光素子１０ｒ、１０ｇ、１０ｂが備えられており、これらの発光素子１０ｒ、１０ｇ、１０ｂを順次点灯駆動することにより光を照射する構成である。
【００４２】
光拡散パターン１０４ｍは反射面１０３に少なくとも４列設けられている。  
光拡散パターン１０４ｍは、例えば、ドット（点）からなるパターン形状１０５にて構成されており、パターン形状１０５の分布密度は、入光面１０１から光拡散面１００に向かって徐々に増大する構成である。  
即ち、光源１０からの距離に応じて、光源１０に近い部分は低密度に、遠方では高密度に配置された構成である。  
尚、パターン形状１０５は円形または多角形等どのような形状であっても構わない。また、同一形状に限定するものではなく密度に応じて径、形状等を変化させても良い。
【００４３】
この構成により、光源１０からの光が入光する一端から他端に向かって徐々に光拡散パターン１０４ｍを構成するパターン形状１０５の占める割合が大きくなることになる。このため、光源１０に近い部分の拡散率を低く、遠方に向かって徐々に拡散率を高くすることができ、光源１０が一つであっても長手方向（主走査方向）に沿って略均一な照度を得ることができるものである。
【００４４】
また、図９ａ、及び、図１０ａに導光体１１の幅方向（副走査方向）における断面形状、図９ｂ、及び、図１０ｂに幅方向（副走査方向）における光拡散パターン１０４ｍにて拡散される拡散光の照度の分布（以下、照度分布と記述）を示す。  
２０２ｒ、２０２ｇ、２０２ｂは夫々従来の出射光の照度分布を示す線であり、２０３ｒ、２０３ｇ、２０３ｂは夫々本発明を適用できる出射光の照度分布を示す線である。  
図９ａに示す従来の光拡散パターン１０４ｍは、反射面１０３表面全域に設けられた構成である。
【００４５】
また、図１１は、本発明を適用できる導光体１１における光軸Ａ、法線Ｂ、平面Ｃ、交線Ｄの関係の他の一例を示す斜視図である。  
即ち、Ａは光源１０に設けられた発光素子の光軸であり、Ｂは反射面１０３に対する法線、Ｃは光軸Ａと法線Ｂとが交わりを成す平面、Ｄは平面Ｃが反射面１０３上で交差する交線である。  
尚、平面Ｃは、図中において、導光体１１における断面として破線で示すものとする。
【００４６】
この構成では、光拡散パターン１０４ｍにより拡散された拡散光は、幅方向（副走査方向）における照度分布において、各発光素子１０ｒ、１０ｇ、１０ｂに対応する夫々の交線Ｄに沿ってピークを生じる。  
出射面１０２より出射される出射光は、反射面１０３（及び、図示しない反射面）からの反射光と光拡散パターン１０４ｍにより拡散された拡散光から構成されるため、各発光素子１０ｒ、１０ｇ、１０ｂの夫々の点灯時に設置位置の違いによる光のずれが顕著になり、出射面１０２より出射される出射光の照度が不均一となるものである。
【００４７】
これに対し、図１０ａに示す本発明を適用できる他の一例を示す光拡散パターン１０４ｍは、夫々の交線Ｄに対して、夫々の光拡散パターン１０４ｍがずれるように、少なくとも４列の光拡散パターン１０４ｍが設けられた構成である。
【００４８】
即ち、光拡散パターン１０４ｍは、交線Ｄに沿って間隙１０６ｎ（ｎはｍが２以上の自然数の場合、ｍ−１となる自然数）を挟んで夫々設けられることになる。
【００４９】
この構成により、夫々の交線Ｄに沿って生ずる拡散光のピーク付近において、間隙１０６ｎにより光拡散パターン１０４ｍからの拡散光を低減できることから、幅方向（副走査方向）における照度分布において、光拡散パターン１０４ｍからの拡散光のピークが減少する。このため、光源１０に設けられた各発光素子１０ｒ、１０ｇ、１０ｂの夫々の点灯時に設置位置の違いによる光のずれが緩和でき、出射面１０２より出射される出射光の照度の均一化が図れるものである。  
尚、間隙１０６ｎを示す枠線は視認性を高めるために追加したものであり、光拡散パターン１０４ｍ、及び、パターン形状１０５を示すものではない。
【００５０】
また、光源１０に赤（ｒ）・緑（ｇ）・青（ｂ）３色の発光波長を持つＬＥＤからなる発光素子１０ｒ、１０ｇ、１０ｂを備えた例を示したが、発光素子は３個に限らない。その場合、光拡散パターン１０４ｍを少なくとも発光素子の数に１を加算した数の列とし、交線Ｄに対して、夫々の光拡散パターン１０４ｍがずれるように設けられることで同様の効果を奏するものである。
（実施例３）
【００５１】
図１２に本発明を適用できる導光体１１の反射面１０３に設けられた光拡散パターン１０４ｍの他の一例を示す。  
また、図１３に導光体１１の長手方向（主走査方向）における出射光の照度の分布（以下、照度分布と記述）の領域Ｅの有無による比較例を示す。  
２０４は従来の出射光の照度分布を示す線であり、２０５は本発明を適用できる出射光の照度分布を示す線である。
【００５２】
光拡散パターン１０４ｍは反射面１０３に少なくとも２列（本実施形態では、光拡散パターン１０４ｍの数は４列）設けられている。  
光拡散パターン１０４ｍは、例えば、ドット（点）からなるパターン形状１０５にて構成されており、パターン形状１０５の分布密度は、入光面１０１から光拡散面１００に向かって徐々に増大すると共に、少なくとも粗面である光拡散面１００の近傍については、パターン形状１０５を設けない領域Ｅを備えた構成である。  
即ち、光源１０からの距離に応じて、光拡散面１００の近傍を除き、光源１０に近い部分は低密度に、遠方では高密度に配置された構成である。  
尚、パターン形状１０５は円形または多角形等どのような形状であっても構わない。また、同一形状に限定するものではなく密度に応じて径、形状等を変化させても良い。
【００５３】
この構成により、光源１０からの光が入光する一端から他端に向かって徐々に光拡散パターン１０４ｍを構成するパターン形状１０５の占める割合が大きくなることになる。このため、光源１０に近い部分の拡散率を低く、遠方に向かって徐々に拡散率を高くすることができ、光源１０が一つであっても長手方向（主走査方向）に沿って略均一な照度を得ることができるものである。  
また、領域Ｅにより光拡散パターン１０４ｍからの拡散光を低減できることから、光拡散面１００を粗面のままとしても、長手方向（主走査方向）における照度分布において光拡散面１００の近傍に生じる拡散光のピークが減少する。このため、出射面１０２より出射される出射光の照度の均一化を高めることが可能となる。
【００５４】
尚、光拡散パターン１０４ｍにおいて領域Ｅを設けず、光拡散パターン１０４ｍにおける高密度に配置されたパターン形状１０５の端部から、光拡散面１００に近い部分に向かって徐々に低密度となるようにしても構わない。
【産業上の利用可能性】
【００５５】
本発明のライン状照明装置はイメージスキャナー、ファクシミリ、複写機等の画像読取装置として有効な技術である。
【符号の説明】
【００５６】
４      イメージセンサユニット
１０    光源
１００  光拡散面（粗面）
１０２  出射面
１０３  反射面
１０４  光拡散パターン
１０５  パターン形状
１０６  間隙
Ａ      光軸
Ｂ      法線
Ｃ      平面
Ｄ      交線
Ｅ      領域
【図１】
2011087290.tif 000003
【図２】
2011087290.tif 000004
【図３】
2011087290.tif 000005
【図４】
2011087290.tif 000006
【図５ａ】
2011087290.tif 000007
【図５ｂ】
2011087290.tif 000008
【図６ａ】
2011087290.tif 000009
【図６ｂ】
2011087290.tif 000010
【図７】
2011087290.tif 000011
【図８】
2011087290.tif 000012
【図９ａ】
2011087290.tif 000013
【図９ｂ】
2011087290.tif 000014
【図１０ａ】
2011087290.tif 000015
【図１０ｂ】
2011087290.tif 000016
【図１１】
2011087290.tif 000017
【図１２】
2011087290.tif 000018
【図１３】
2011087290.tif 000019
【図１４】
2011087290.tif 000020
【図１５】
2011087290.tif 000021